(57)【要約】【課題】通信装置と情報処理装置とを関連付けてサーバ装置に登録する際に、簡易かつ確実に登録することを可能にする。【解決手段】サーバ装置に、通信装置及び情報処理装置との間の通信を行う通信部と、通信部が受信した固有識別情報と部分固有識別情報とを比較し、部分固有識別情報が固有識別情報の一部に合致したら、通信装置と情報処理装置とを組として登録する登録処理部とを設ける。登録処理部は、通信装置から送信された部分固有識別情報が、他の通信装置から送信された部分固有識別情報と一致したら、通信装置及び情報処理装置の登録作業を中止する。【選択図】図６
2014178972.tif 000002
【特許請求の範囲】
【請求項１】
サーバ装置と、通信回線を経由して前記サーバ装置に接続可能な通信装置及び情報処理装置とを備える通信システムにおいて、
前記情報処理装置は、
前記サーバ装置との間の通信を行う通信部と、
前記通信部を介して自身の固有識別情報をサーバ装置に送信する第１の固有識別情報送信部を備え、
前記通信装置は、
前記サーバ装置との間の通信を行う通信部と、
情報の入力を受け付ける入力部と、
前記通信部を介して、前記入力部を介して入力された前記情報処理装置の前記固有識別情報の一部である部分固有識別情報を前記サーバ装置に送信する第２の固有識別情報送信部と
を備え、
前記サーバ装置は、
前記通信装置及び前記情報処理装置との間の通信を行う通信部と、
前記通信部が受信した前記固有識別情報と前記部分固有識別情報とを比較し、前記部分固有識別情報が前記固有識別情報の一部に合致したら、前記通信装置と前記情報処理装置とを組として登録する登録処理部と
を備え、
前記登録処理部は、前記通信装置から送信された前記部分固有識別情報が、他の通信装置から送信された部分固有識別情報と一致したら、前記通信装置及び前記情報処理装置の登録作業を中止する
ことを特徴とする通信システム。
【請求項２】
前記登録処理部は、前記通信装置及び前記情報処理装置の登録作業を中止した後、前記通信部を介して通信装置に前記部分固有識別情報の送信を再度要求する
ことを特徴とする請求項１記載の通信システム。
【請求項３】
前記情報処理装置は第１の通信回線を経由して前記サーバ装置に接続可能であり、前記通信装置は第２の通信回線を経由して前記サーバ装置に接続可能である
ことを特徴とする請求項１または２記載の通信システム。
【請求項４】
前記第２の通信回線は移動体通信回線網を含むことを特徴とする請求項３記載の通信システム。
【請求項５】
前記情報処理装置は、
操作入力がされると操作入力信号を出力する操作部と、
前記操作部から前記操作入力信号が出力されると、前記サーバ装置への接続要求情報を生成して前記通信部を介して送信する接続要求部と
を備え、
前記第１の固有識別情報送信部は、前記情報処理装置と前記サーバ装置との間の接続が成立すると自身の固有識別情報を送信する
ことを特徴とする請求項１〜４のいずれかに記載の通信システム。
【請求項６】
前記登録処理部は、前記情報処理装置からの接続要求情報を前記通信部が受信してから一定時間だけ前記通信装置と前記情報処理装置との登録作業を許容する
ことを特徴とする請求項１〜５のいずれかに記載の通信システム。
【請求項７】
前記登録処理部は、前記通信装置から送信された前記部分固有識別情報が、他の通信装置から送信された部分固有識別情報と一致したら、前記通信装置に対して、前記情報処理装置の前記固有識別情報の一部であり前記部分固有識別情報とは異なる第２の部分固有識別情報の送信を要求し、前記通信装置が送信した前記部分固有識別情報及び前記第２の部分固有識別情報のいずれもが、前記情報処理装置が送信した前記固有識別情報の一部に合致したら、前記通信装置と前記情報処理装置とを組として登録する
ことを特徴とする
ことを特徴とする請求項１〜６のいずれかに記載の通信システム。
【請求項８】
サーバ装置と、通信回線を経由して前記サーバ装置に接続可能な通信装置及び情報処理装置とを備える通信システムにおいて、
前記情報処理装置は、
前記サーバ装置との間の通信を行う通信部と、
前記通信部を介して自身の固有識別情報をサーバ装置に送信する第１の固有識別情報送信部を備え、
前記通信装置は、
前記サーバ装置との間の通信を行う通信部と、
情報の入力を受け付ける入力部と、
前記通信部を介して、前記入力部を介して入力された前記情報処理装置の前記固有識別情報の一部である部分固有識別情報を前記サーバ装置に送信する第２の固有識別情報送信部と
を備え、
前記サーバ装置は、
前記通信装置及び前記情報処理装置との間の通信を行う通信部と、
前記通信部が受信した前記固有識別情報と前記部分固有識別情報とを比較し、前記部分固有識別情報が前記固有識別情報の一部に合致したら、前記通信装置と前記情報処理装置とを組として登録する登録処理部と
を備え、
前記登録処理部は、前記通信装置から送信された前記部分固有識別情報が、他の通信装置から送信された部分固有識別情報と一致したら、前記通信装置に対して、前記情報処理装置の前記固有識別情報の一部であり前記部分固有識別情報とは異なる第２の部分固有識別情報の送信を要求し、前記通信装置が送信した前記部分固有識別情報及び前記第２の部分固有識別情報のいずれもが、前記情報処理装置が送信した前記固有識別情報の一部に合致したら、前記通信装置と前記情報処理装置とを組として登録する
ことを特徴とする通信システム。
【請求項９】
通信回線を経由して通信装置及び情報処理装置に接続可能なサーバ装置において、
前記通信装置及び前記情報処理装置との間の通信を行う通信部と、
前記情報処理装置から送信されて前記通信部が受信した前記情報処理装置の固有識別情報と前記通信装置から送信されて前記通信部が受信した前記情報処理装置の前記固有識別情報の一部である部分固有識別情報とを比較し、前記部分固有識別情報が前記固有識別情報の一部に合致したら、前記通信装置と前記情報処理装置とを組として登録する登録処理部と
を備え、
前記登録処理部は、前記通信装置から送信された前記部分固有識別情報が、他の通信装置から送信された部分固有識別情報と一致したら、前記通信装置及び前記情報処理装置の登録作業を中止する
ことを特徴とするサーバ装置。
【請求項１０】
通信回線を経由して通信装置及び情報処理装置に接続可能なサーバ装置における登録方法であって、
前記情報処理装置から送信された前記情報処理装置の固有識別情報と前記通信装置から送信された前記情報処理装置の前記固有識別情報の一部である部分固有識別情報とを受信する工程と、
受信した前記固有識別情報と前記部分固有識別情報とを比較し、前記部分固有識別情報が前記固有識別情報の一部に合致したら、前記通信装置と前記情報処理装置とを組として登録する工程と、
前記通信装置から送信された前記部分固有識別情報が、他の通信装置から送信された部分固有識別情報と一致したら、前記通信装置及び前記情報処理装置の登録作業を中止する工程と
を備えることを特徴とするサーバ装置における登録方法。
【請求項１１】
通信回線を経由して通信装置及び情報処理装置に接続可能なコンピュータにより実行されるプログラムであって、
このプログラムは、コンピュータにより実行されると、
前記情報処理装置から送信された前記情報処理装置の固有識別情報と前記通信装置から送信された前記情報処理装置の前記固有識別情報の一部である部分固有識別情報とを受信する工程と、
受信した前記固有識別情報と前記部分固有識別情報とを比較し、前記部分固有識別情報が前記固有識別情報の一部に合致したら、前記通信装置と前記情報処理装置とを組として登録する工程と、
前記通信装置から送信された前記部分固有識別情報が、他の通信装置から送信された部分固有識別情報と一致したら、前記通信装置及び前記情報処理装置の登録作業を中止する工程と
を実行することを特徴とするプログラム。
【発明の詳細な説明】
【技術分野】
【０００１】
本発明は、通信回線を経由してサーバ装置に接続可能な通信装置及び情報処理装置を備える通信システム、サーバ装置、登録方法及びプログラムに関する。
【背景技術】
【０００２】
ローカルのネットワーク内に存在するＮＡＳ（Network Attached Storage）に代表される情報処理装置内に格納されたファイル、データをユーザがローカルのネットワークの外からアクセスする要望がある。一例として、ホームネットワーク内に存在するＮＡＳに動画コンテンツデータや音楽コンテンツデータを格納し、ホームネットワーク外、例えば外出先においてユーザがスマートフォン等の通信装置からホームネットワーク内のＮＡＳにアクセスし、この通信装置でＮＡＳ内の動画コンテンツデータ、音楽コンテンツデータを再生したいという要望がある。
【０００３】
この場合、ローカルのネットワークとインターネットに代表されるＷＡＮ（Wide Area Network）との間には、ローカルのネットワークへの不正アクセス等を防止する目的でファイアウォール（単体の装置だけではなくルータ等に備えられたファイアウォール機能も含む）が通常備えられているので、通信装置からＮＡＳにアクセスする際に、このファイアウォールを適切に越える手順を採用することが好ましい。
【０００４】
かかる観点から、ＷＡＮ上に存在するサーバ装置に、ローカルのネットワークの外でアクセスする予定があるファイル、データ等を格納し、通信装置からこのサーバ装置にアクセスしてファイル、データ等にアクセスする技術が知られている。この場合、サーバ装置に格納されたファイル、データ等をユーザに排他的にアクセスさせるために、ＮＡＳ等の情報処理装置とユーザのアカウントとを関連付けて（紐付けて）サーバ装置に登録し、通信装置からサーバ装置にアクセスする際にサーバ装置がユーザのアカウントによる認証を要求し、認証が成功するとこの通信装置によるアクセスを許容する技術が知られている（例えば非特許文献１参照）。非特許文献１に開示された技術では、情報処理装置とユーザのアカウントとを関連付けて登録する際に、情報処理装置のＭＡＣ（Media Access Control）アドレスを全て入力させて情報処理装置を特定し、このＭＡＣアドレスとユーザのアカウントとを紐付けて登録している。
【０００５】
ＭＡＣアドレスは、例えば情報処理装置の筐体背面等にラベルに印字されて提供される。このＭＡＣアドレスは４８ビットの符号であり、通常、１６進数によるオクテットで表現されている。従って、情報処理装置の筐体等に示されるＭＡＣアドレスは１２桁の数字及びＡ〜Ｆの英文字として表示される。１２桁の数字及びＡ〜Ｆの英文字を全てユーザに入力させることで、情報処理装置を一意に特定することができ、ユーザのアカウントと情報処理装置との紐付け登録も確実に行うことができる。
【先行技術文献】
【非特許文献】
【０００６】
【非特許文献１】「LHD-CSLU2WRシリーズ-ロジテック株式会社」［平成25年1月9日検索］、インターネット<URL:http://www.logitec.co.jp/products/hd/lhdcslu2wr/index.php>
【発明の概要】
【発明が解決しようとする課題】
【０００７】
しかしながら、上述した従来の技術では、情報処理装置とユーザのアカウントとを関連付けて登録する際に、情報処理装置のＭＡＣアドレスを全てユーザに入力させており、ユーザは、情報処理装置とユーザのアカウントとの紐付け登録の際に、１２桁からなる数字及びＡ〜Ｆの英文字を入力する必要があった。かかる作業はユーザにとって煩雑な作業であるとともに、ユーザによるＭＡＣアドレスの誤入力を生じる可能性があった。
【０００８】
本発明は上述した課題に鑑みてなされたもので、通信装置と情報処理装置とを関連付けてサーバ装置に登録する際に、簡易かつ確実に登録することの可能な通信システム、サーバ装置、登録方法及びプログラムの提供を目的としている。
【課題を解決するための手段】
【０００９】
本発明は、サーバ装置と、通信回線を経由してサーバ装置に接続可能な通信装置及び情報処理装置とを備える通信システムに適用される。そして、情報処理装置に、サーバ装置との間の通信を行う通信部と、通信部を介して自身の固有識別情報をサーバ装置に送信する第１の固有識別情報送信部を設け、通信装置に、サーバ装置との間の通信を行う通信部と、情報の入力を受け付ける入力部と、通信部を介して、入力部を介して入力された情報処理装置の固有識別情報の一部である部分固有識別情報をサーバ装置に送信する第２の固有識別情報送信部とを設け、サーバ装置に、通信装置及び情報処理装置との間の通信を行う通信部と、通信部が受信した固有識別情報と部分固有識別情報とを比較し、部分固有識別情報が固有識別情報の一部に合致したら、通信装置と情報処理装置とを組として登録する登録処理部とを設け、そして、登録処理部が、通信装置から送信された部分固有識別情報が、他の通信装置から送信された部分固有識別情報と一致したら、通信装置及び情報処理装置の登録作業を中止することにより、上述した目的の少なくとも一部を達成している。
【００１０】
サーバ装置の登録処理部は、通信装置から送信された部分固有識別情報が、他の通信装置から送信された部分固有識別情報と一致したら、通信装置及び情報処理装置の登録作業を中止している。これにより、情報処理装置が誤って他のユーザが所有する通信装置と組になって登録される事態を制限することができる。
【００１１】
ここで、登録処理部が、通信装置及び情報処理装置の登録作業を中止した後、通信部を介して通信装置に部分固有識別情報の送信を再度要求することが好ましい。
【００１２】
また、情報処理装置は第１の通信回線を経由してサーバ装置に接続可能であり、通信装置は第２の通信回線を経由してサーバ装置に接続可能であることが好ましい。このとき、第２の通信回線は移動体通信回線網を含むことがさらに好ましい。
【００１３】
あるいは、情報処理装置に、操作入力がされると操作入力信号を出力する操作部と、操作部から操作入力信号が出力されると、サーバ装置への接続要求情報を生成して通信部を介して送信する接続要求部とを設け、第１の固有識別情報送信部は、情報処理装置とサーバ装置との間の接続が成立すると自身の固有識別情報を送信することが好ましい。
【００１４】
あるいは、登録処理部は、情報処理装置からの接続要求情報を通信部が受信してから一定時間だけ通信装置と情報処理装置との登録作業を許容することが好ましい。
【００１５】
あるいは、登録処理部は、通信装置から送信された部分固有識別情報が、他の通信装置から送信された部分固有識別情報と一致したら、通信装置に対して、情報処理装置の固有識別情報の一部であり部分固有識別情報とは異なる第２の部分固有識別情報の送信を要求し、通信装置が送信した部分固有識別情報及び第２の部分固有識別情報のいずれもが、情報処理装置が送信した固有識別情報の一部に合致したら、通信装置と情報処理装置とを組として登録することが好ましい。
【００１６】
また、本発明は、サーバ装置と、通信回線を経由してサーバ装置に接続可能な通信装置及び情報処理装置とを備える通信システムに適用される。そして、情報処理装置に、サーバ装置との間の通信を行う通信部と、通信部を介して自身の固有識別情報をサーバ装置に送信する第１の固有識別情報送信部を設け、通信装置に、サーバ装置との間の通信を行う通信部と、情報の入力を受け付ける入力部と、通信部を介して、入力部を介して入力された情報処理装置の固有識別情報の一部である部分固有識別情報をサーバ装置に送信する第２の固有識別情報送信部とを設け、サーバ装置に、通信装置及び情報処理装置との間の通信を行う通信部と、通信部が受信した固有識別情報と部分固有識別情報とを比較し、部分固有識別情報が固有識別情報の一部に合致したら、通信装置と情報処理装置とを組として登録する登録処理部とを設け、登録処理部が、通信装置から送信された部分固有識別情報が、他の通信装置から送信された部分固有識別情報と一致したら、通信装置に対して、情報処理装置の固有識別情報の一部であり部分固有識別情報とは異なる第２の部分固有識別情報の送信を要求し、通信装置が送信した部分固有識別情報及び第２の部分固有識別情報のいずれもが、情報処理装置が送信した固有識別情報の一部に合致したら、通信装置と情報処理装置とを組として登録することにより、上述した目的の少なくとも一部を達成している。
【００１７】
さらに、本発明は、通信回線を経由して通信装置及び情報処理装置に接続可能なサーバ装置に適用される。そして、このサーバ装置に、通信装置及び情報処理装置との間の通信を行う通信部と、情報処理装置から送信されて通信部が受信した情報処理装置の固有識別情報と通信装置から送信されて通信部が受信した情報処理装置の固有識別情報の一部である部分固有識別情報とを比較し、部分固有識別情報が固有識別情報の一部に合致したら、通信装置と情報処理装置とを組として登録する登録処理部とを設け、登録処理部が、通信装置から送信された部分固有識別情報が、他の通信装置から送信された部分固有識別情報と一致したら、通信装置及び情報処理装置の登録作業を中止することにより、上述した目的の少なくとも一部を達成している。
【００１８】
さらに、本発明は、通信回線を経由して通信装置及び情報処理装置に接続可能なサーバ装置における登録方法に適用される。そして、情報処理装置から送信された情報処理装置の固有識別情報と通信装置から送信された情報処理装置の固有識別情報の一部である部分固有識別情報とを受信する工程と、受信した固有識別情報と部分固有識別情報とを比較し、部分固有識別情報が固有識別情報の一部に合致したら、通信装置と情報処理装置とを組として登録する工程と、通信装置から送信された部分固有識別情報が、他の通信装置から送信された部分固有識別情報と一致したら、通信装置及び情報処理装置の登録作業を中止する工程とを設けることにより、上述した目的の少なくとも一部を達成している。
【００１９】
そして、本発明は、通信回線を経由して通信装置及び情報処理装置に接続可能なコンピュータにより実行されるプログラムに適用される。そして、このプログラムは、コンピュータにより実行されると、情報処理装置から送信された情報処理装置の固有識別情報と通信装置から送信された情報処理装置の固有識別情報の一部である部分固有識別情報とを受信する工程と、受信した固有識別情報と部分固有識別情報とを比較し、部分固有識別情報が固有識別情報の一部に合致したら、通信装置と情報処理装置とを組として登録する工程と、通信装置から送信された部分固有識別情報が、他の通信装置から送信された部分固有識別情報と一致したら、通信装置及び情報処理装置の登録作業を中止する工程とを実行することにより、上述した目的の少なくとも一部を達成している。
【発明の効果】
【００２０】
本発明によれば、サーバ装置の登録処理部は、通信装置から送信された部分固有識別情報が、他の通信装置から送信された部分固有識別情報と一致したら、通信装置及び情報処理装置の登録作業を中止している。これにより、情報処理装置が誤って他のユーザが所有する通信装置と組になって登録される事態を制限することができるとともに、ユーザの入力作業を簡略化して、通信装置と情報処理装置とを関連付けてサーバ装置に登録する際に、簡易かつ確実に登録することが可能な通信システム、サーバ装置、登録方法及びプログラムを提供することができる。
【図面の簡単な説明】
【００２１】
【図１】本発明の第１実施形態である通信システムの概略構成を示す図である。
【図２】第１実施形態である通信システムに用いられる通信装置の概略構成を示すブロック図である。
【図３】第１実施形態である通信システムに用いられる情報処理装置の概略構成を示すブロック図である。
【図４】第１実施形態である通信システムに用いられる情報処理装置の外観を示す図である。
【図５】第１実施形態である通信システムに用いられるサーバ装置の概略構成を示すブロック図である。
【図６】第１実施形態の通信システムの機能構成を示す機能ブロック図である。
【図７】第１実施形態である通信システムに用いられるサーバ装置内に格納される登録テーブルの概要を説明するための図である。
【図８】第１実施形態である通信システムの動作の一例を説明するためのシーケンス図である。
【図９】第１実施形態である通信システムの動作の他の例を説明するためのシーケンス図である。
【図１０】第１実施形態である通信システムの動作のまた他の例を説明するためのシーケンス図である。
【図１１】第１実施形態である通信システムの動作のまた他の例を説明するためのシーケンス図である。
【図１２】第１実施形態である通信システムの動作のまた他の例を説明するためのシーケンス図である。
【図１３】第１実施形態の通信システムに用いられる通信装置に表示される画面の一例を示す図である。
【図１４】第１実施形態の通信システムに用いられる通信装置に表示される画面の他の例を示す図である。
【図１５】第１実施形態の通信システムに用いられる通信装置に表示される画面のまた他の例を示す図である。
【図１６】第１実施形態の通信システムに用いられる通信装置に表示される画面のまた他の例を示す図である。
【図１７】第１実施形態の通信システムに用いられる通信装置に表示される画面のまた他の例を示す図である。
【図１８】第１実施形態の通信システムに用いられる通信装置に表示される画面のまた他の例を示す図である。
【図１９】第１実施形態の通信システムに用いられる通信装置に表示される画面のまた他の例を示す図である。
【図２０】第１実施形態の通信システムに用いられる通信装置に表示される画面のまた他の例を示す図である。
【図２１】本発明の第２実施形態である通信システムの動作の一例を説明するためのシーケンス図である。
【図２２】第２実施形態の通信システムの動作の他の例を説明するためのシーケンス図である。
【図２３】第２実施形態の通信システムに用いられる通信装置に表示される画面の一例を示す図である。
【図２４】本発明の第３実施形態である通信システムの動作の一例を説明するためのシーケンス図である。
【図２５】本発明の第３実施形態である通信システムの動作の他の例を説明するためのシーケンス図である。
【図２６】第３実施形態の通信システムに用いられる通信装置に表示される画面の一例を示す図である。
【図２７】本発明の第４実施形態である通信システムの動作の一例を説明するためのシーケンス図である。
【図２８】第４実施形態である通信システムの動作の他の例を説明するためのシーケンス図である。
【図２９】第４実施形態である通信システムの動作のまた他の例を説明するためのシーケンス図である。
【図３０】第４実施形態である通信システムの動作のまた他の例を説明するためのシーケンス図である。
【図３１】第４実施形態である通信システムの動作のまた他の例を説明するためのシーケンス図である。
【発明を実施するための形態】
【００２２】
以下、図面を参照して、本発明の実施形態について説明する。
（第１実施形態）
図１は、本発明の第１実施形態である通信システムの概略を示す図である。この図において、１は本実施形態の通信システムであり、この通信システム１は、通信装置２と情報処理装置３とルータ４とサーバ装置７とを備える。
【００２３】
通信装置２は、いわゆるスマートフォン等であり、移動体通信網５を介して音声通話が可能であり、さらに、この移動体通信網５を介してインターネット６に接続可能である。さらに、本実施形態の通信装置２は、無線ＬＡＮ（Local Area Network）を介して、ルータ４を含む他の無線端末と無線通信可能である。ＮＡＳに代表される情報処理装置３は、本実施形態ではＨＤＤ（Hard Disk Drive）部を備えたものであり、有線または無線ＬＡＮを介してルータ４を含む他の端末と通信可能である。ルータ４はＷＡＮとしてのインターネット６に接続され、通信装置２や情報処理装置３とインターネット６との間の通信を中継する。サーバ装置７はインターネット６に接続されており、このインターネット６及びルータ４を介して情報処理装置３と通信可能であるとともに、インターネット６、移動体通信網５を介して通信装置２と通信可能である。
【００２４】
（通信装置の概略構成）
図２は、本実施形態の通信システム１に用いられる通信装置２の概略構成を示すブロック図である。図２において、通信装置２は、ＣＰＵ（Central Processing Unit）２０、ＲＯＭ（Read Only Memory）２１、ＲＡＭ（Random Access Memory）２２、液晶ドライバ２３０、液晶パネル２３１、無線ＬＡＮモジュール２４０、アンテナ２４１、移動体通信モジュール２５０、音声インタフェース（Ｉ／Ｆ）２５１、マイクロフォン２５２、スピーカ２５３、アンテナ２５４、入力インタフェース（Ｉ／Ｆ）２６０、タッチパネル２６１、内部ストレージ部２７、ＵＳＢ（Universal Serial Bus）コントローラ２８０及びＵＳＢコネクタ２８１を備え、ＣＰＵ２０、ＲＯＭ２１、ＲＡＭ２２、液晶ドライバ２３０、無線ＬＡＮモジュール２４０、移動体通信モジュール２５０、入力インタフェース２６０、内部ストレージ部２７及びＵＳＢコントローラ２８０はそれぞれ共通のバスにより接続されている。
【００２５】
ＣＰＵ２０は、ＲＯＭ２１内に格納されたファームウェア等のプログラムがＲＡＭ２２において展開された後で実行されることで、通信装置２全体の動作制御を行うとともに、図６に示す各機能部に示す機能を実行する。図６に示す各機能部については後述する。ＲＯＭ２１には、上述のファームウェア等のプログラムや、各種設定データが格納されている。ＲＡＭ２２は、通信装置２のワークメモリとして動作し、各種プログラム及びデータが一時的に格納される。
【００２６】
液晶パネル２３１は、その表示面が通信装置２の表面に露出して設けられている。液晶ドライバ２３０は、表示画面を構成するデータがＣＰＵ２０からこの液晶ドライバ２３０に供給されると、液晶パネル２３１の表示面に所望の表示画面を表示するようにこの液晶パネル２３１を駆動する。
【００２７】
無線ＬＡＮモジュール２４０は、例えばＩＥＥＥ（The Institute of Electrical and Electronics Engineers）８０２．１１規格に準拠して、アンテナ２４１を介して無線通信を行う。この無線モジュール２４０は、通信装置２を、無線ＬＡＮアクセスポイント（中継装置）を経由して通信を行うクライアント装置として動作させることが可能である。
【００２８】
移動体通信モジュール２５０は、例えばＩＭＴ（International Mobile Telecommunication）−２０００規格に準拠して、アンテナ２５４を介して移動体通信網５との間で移動体無線通信を行う。すなわち、移動体通信モジュール２５０は、移動体通信網５の基地局から受信した電波をデコードして得られた音声信号を、音声インタフェース２５１を介してスピーカ２５３から発音させ、音声インタフェース２５１を介してマイクロフォン２５２が集音した音声をエンコードして、アンテナ２５４を介して電波として移動体通信網５の基地局に送信する。なお、この移動体通信モジュール２５０が対応する規格には、３Ｇ／ＨＳＤＰＡ（3rd Generation/High-Speed Downlink Packet Access）、ＬＴＥ（Long Term Evolution）、ＷｉＭＡＸ（Worldwide Interoperability for Microwave Access）の少なくとも一つが含まれうる。
【００２９】
タッチパネル２６１は、本実施形態では液晶パネル２３１の表示面の上面に重畳されて設けられ、この液晶パネル２３１の表示面と略同一の大きさを有する。ユーザによりタッチパネル２６１の表面がタッチされ、すなわち、タッチパネル２６１の表面上の特定位置がユーザにより触れられたら、タッチパネル２６１の表面上の特定位置が２次元の座標位置として検出され、この座標位置は入力インタフェース２６０を介して出力される。
【００３０】
内部ストレージ部２７は、内部ストレージ２７０と内部ストレージインタフェース（Ｉ／Ｆ）２７１とを備える。内部ストレージ２７０は、例えばフラッシュメモリのような不揮発性半導体メモリであり、通信装置２において用いられるアプリケーションプログラム、音楽・写真・動画データ等が格納される。内部ストレージインタフェース２７１は、この内部ストレージ２７０に対するデータの読み出し／書き込み指令があった場合に、内部ストレージ２７０全体の制御を行うとともに、データの読み出し／書き込み制御を行い、読み出されたデータを出力する。なお、内部ストレージ２７０は、例えばｍｉｃｒｏＳＤのような挿脱可能な不揮発性メモリカードであってもよく、この場合、内部ストレージインタフェース２７１は、このメモリカードが装着されるメモリカードスロットをさらに備える。
【００３１】
ＵＳＢコントローラ２８０は、例えばＵＳＢ２．０またはＵＳＢ３．０規格に沿って、ＵＳＢコネクタ２８１を介して接続されたＵＳＢデバイスとの間でデータの送受信を行う。ＵＳＢコネクタ２８１は、いわゆるメス型ＵＳＢコネクタ（ＵＳＢレセプタクル）であって、いずれも図略のＵＳＢケーブルのオス型ＵＳＢコネクタ（ＵＳＢプラグ）が挿入可能に構成されている。
【００３２】
（情報処理装置の概略構成）
次に、図３は、本実施形態の通信システム１に用いられる情報処理装置３の概略構成を示すブロック図である。図３において、情報処理装置３は、ＣＰＵ３０、ＲＯＭ３１、ＲＡＭ３２、ＨＤＤ部３３、有線ＬＡＮモジュール３４、ＵＳＢコントローラ３５０、ＵＳＢコネクタ３５１及び操作入力部３６を備え、ＣＰＵ３０、ＲＯＭ３１、ＲＡＭ３２、ＨＤＤ部３３、有線ＬＡＮモジュール３４、ＵＳＢコントローラ３５０及び操作入力部３６はそれぞれ共通のバスにより接続されている。
【００３３】
ＣＰＵ３０は、ＲＯＭ３１内に格納されたファームウェア等のプログラムがＲＡＭ３２において展開された後で実行されることで、情報処理装置３全体の動作制御を行うとともに、図６に示す各機能部に示す機能を実行する。図６に示す各機能部については後述する。ＲＯＭ３１には、上述のファームウェア等のプログラムが格納されている。ＲＡＭ３２は、情報処理装置３のワークメモリとして動作し、各種プログラム及びデータが一時的に格納される。
【００３４】
ＨＤＤ部３３は、ＨＤＤ３３０とＨＤＤインタフェース（Ｉ／Ｆ）３３１とを備える。ＨＤＤ３３０は、記録媒体であるディスクと、このディスクの回転を行う回転部と、ディスクに対してデータの読み出し／書き込みを行うヘッド部とを備える（いずれも不図示）。ＨＤＤインタフェース３３１は、このＨＤＤ３３０に対するデータの読み出し／書き込み指令があった場合に、ＨＤＤ３３０全体の制御を行うとともに、データの読み出し／書き込み制御を行い、読み出されたデータを出力する。ＨＤＤ３３０にはアプリケーションプログラム、音楽・写真・動画データ等が適宜格納されている。
【００３５】
有線ＬＡＮモジュール３４は、例えばＩＥＥＥ８０２．３規格に準拠して、ルータ４との間で有線による通信を行う。ＵＳＢコントローラ３５０は、例えばＵＳＢ２．０またはＵＳＢ３．０規格に沿って、ＵＳＢコネクタ３５１を介して接続されたＵＳＢデバイスとの間でデータ（含むコンテンツデータ）の送受信を行う。ＵＳＢコネクタ３５１は、いわゆるメス型ＵＳＢコネクタ（ＵＳＢレセプタクル）であって、ＵＳＢケーブルのオス型ＵＳＢコネクタ（ＵＳＢプラグ）が挿入可能に構成されている。
【００３６】
操作入力部３６は、図３において図示を省略した操作入力スイッチを備えている。操作入力スイッチの操作部は情報処理装置３の外部に露出するように設けられており、この操作部がユーザにより操作されると、ユーザによる操作部の操作に応じて操作入力信号を出力する。好ましくは、操作入力部３６に備えられた操作入力スイッチは、モーメンタリスイッチのような自動復帰型のスイッチであり、操作入力スイッチの操作部がユーザにより操作されている間だけ操作入力部３６が操作入力信号を出力し、操作部がユーザにより操作されなくなったら操作入力部３６は操作入力信号の出力を中止する。また、操作入力部３６は図略の光源部を備え、この操作入力部３６の操作や制御部２０からの指令に基づいて光源部が点滅、点灯、消灯動作を行う。
【００３７】
図４はこの情報処理装置３の外観を示す図であり、より詳細には、図４（ａ）は情報処理装置３を前方から見た正面図、図４（ｂ）は情報処理装置３を背面から見た背面図である。図４（ａ）に示すように、情報処理装置３の筐体３ａの前面には、情報処理装置３全体の電源の入／切動作を指示するための電源ボタン３ｂと、上述した操作入力部３６の操作入力スイッチであるファンクション（function）ボタン３ｃの操作部が設けられている。また、図４（ｂ）に示すように、情報処理装置３の筐体３ａの背面には、この情報処理装置３の固有識別情報であるＭＡＣアドレス３ｄが表示されたラベル３ｅが貼付されている。
【００３８】
（サーバ装置の概略構成）
次に、図５は、本実施形態の通信システム１に用いられるサーバ装置７の概略構成を示すブロック図である。図５において、サーバ装置７は、ＣＰＵ７０、ＲＯＭ７１、ＲＡＭ７２、ＨＤＤ部７３、及び有線ＬＡＮモジュール７４、ＵＳＢコントローラ７５０及びＵＳＢコネクタ７５１を備え、ＣＰＵ７０、ＲＯＭ７１、ＲＡＭ７２、ＨＤＤ部７３、有線ＬＡＮモジュール７４、及びＵＳＢコントローラ７５０はそれぞれ共通のバスにより接続されている。
【００３９】
ＣＰＵ７０は、ＲＯＭ７１内に格納されたファームウェア等のプログラムがＲＡＭ７２において展開された後で実行されることで、サーバ装置７全体の動作制御を行うとともに、図６に示す各機能部に示す機能を実行する。図６に示す各機能部については後述する。ＲＯＭ７１には、上述のファームウェア等のプログラムが格納されている。ＲＡＭ７２は、サーバ装置７のワークメモリとして動作し、各種プログラム及びデータが一時的に格納される。
【００４０】
ＨＤＤ部７３は、ＨＤＤ７３０とＨＤＤインタフェース（Ｉ／Ｆ）７３１とを備える。ＨＤＤ７３０は、記録媒体であるディスクと、このディスクの回転を行う回転部と、ディスクに対してデータの読み出し／書き込みを行うヘッド部とを備える（いずれも不図示）。ＨＤＤインタフェース７３１は、このＨＤＤ７３０に対するデータの読み出し／書き込み指令があった場合に、ＨＤＤ７３０全体の制御を行うとともに、データの読み出し／書き込み制御を行い、読み出されたデータを出力する。ＨＤＤ７３０にはアプリケーションプログラム及びサーバ装置７による通信装置２、情報処理装置３の登録結果である登録テーブル１２４等が適宜格納されている。登録テーブル１２４の詳細については後述する。
【００４１】
有線ＬＡＮモジュール７４は、例えばＩＥＥＥ８０２．３規格に準拠して、インターネット６との間で有線による通信を行う。ＵＳＢコントローラ７５０は、例えばＵＳＢ２．０またはＵＳＢ３．０規格に沿って、ＵＳＢコネクタ７５１を介して接続されたＵＳＢデバイスとの間でデータの送受信を行う。ＵＳＢコネクタ７５１は、いわゆるメス型ＵＳＢコネクタ（ＵＳＢレセプタクル）であって、ＵＳＢケーブルのオス型ＵＳＢコネクタ（ＵＳＢプラグ）が挿入可能に構成されている。
【００４２】
本実施形態のサーバ装置７は、通信装置２、情報処理装置３を含むインターネット６上の他の装置との間の通信を行う際、インターネット６での通信に用いられるプロトコルであるＨＴＴＰ（Hypertext Transfer Protocol）を用い、また、ルータ４等のファイアウォール機能を有する装置に対して、ＨＴＴＰ用に設けられたポート（例えばポート番号８０番のポート）を用いて通信を行っている。
【００４３】
（通信システムの機能構成）
次に、図６は、本実施形態の通信システムの機能構成を示す機能ブロック図である。図６において、本実施形態の通信システム１は通信装置２、情報処理装置３及びサーバ装置７を備え、通信装置２は制御部１００、通信部１０１、記憶部１０２、入力部１０３及び表示部１０４を備え、情報処理装置３は制御部１１０、通信部１１１、記憶部１１２及び操作部１１３を備え、サーバ装置７は制御部１２０、通信部１２１及び記憶部１２２を備える。
【００４４】
通信装置２の制御部１００は通信装置２全体の制御を行う。この制御部１００は第２の固有識別情報送信部１０５を備える。第２の固有識別情報送信部１０５は、入力部１０３を介してユーザが入力した情報処理装置３の固有識別情報、すなわち情報処理装置３のＭＡＣアドレス３ｄの一部である部分固有識別情報を、通信部１０１を介してサーバ装置７に送信する。
【００４５】
通信部１０１は、第２の通信回線１３１を介してサーバ装置７の通信部１２１に接続可能にされている。この通信部１０１は、制御部１００の指示に基づいて、第２の固有識別情報送信部１０５が送信指示をする部分固有識別情報を含む各種データの送受信を行う。記憶部１０２は制御部１００等の動作に必要な各種データ、プログラムを少なくとも一時的に格納するものである。入力部１０３は、ユーザによる入力指示に基づいて、この入力指示に対応する入力信号を出力する。表示部１０４は、制御部１００の指示に基づいて、この表示部１０４に入力された表示信号に対応する画面を生成して、表示部１０４が備える表示画面上にこの画面を表示する。
【００４６】
情報処理装置３の制御部１１０は情報処理装置３全体の制御を行う。この制御部１１０は接続要求部１１４及び第１の固有識別情報送信部１１５を備える。接続要求部１１４は、後述する操作部１１３から操作入力信号が出力されると、サーバ装置７への接続要求情報を生成し、この接続要求情報を通信部１１１を介してサーバ装置７に送信する。第１の固有識別情報送信部１１５は、接続要求部１１４が接続要求情報を送信して情報処理装置３とサーバ装置７との接続が成立すると、自身の固有識別情報であるＭＡＣアドレス３ｄを通信部１１１を介してサーバ装置７に送信する。
【００４７】
通信部１１１は、第１の通信回線１３０を介してサーバ装置７の通信部１２１に接続可能にされている。この通信部１１１は、制御部１１０の指示に基づいて、接続要求部１１４が送信指示をする接続要求情報や第１の固有識別情報送信部１１５が送信指示をする固有識別情報を含む各種データの送受信を行う。記憶部１１２は制御部１１０等の動作に必要な各種データ、プログラムを少なくとも一時的に格納するものである。操作部１１３は、ユーザによる操作入力に基づいて、この操作入力に対応する操作入力信号を出力する。この操作部１１３は、ユーザによる操作入力や制御部からの指示に基づいて点滅、点灯、消灯動作を行う不図示の光源部を備える。
【００４８】
サーバ装置７の制御部１２０はサーバ装置７全体の制御を行う。この制御部１２０は登録処理部１２３を備える。登録処理部１２３は、情報処理装置３の第１の固有識別情報送信部１１５が送信し、通信部１２１が受信した固有識別情報と、通信装置２の第２の固有識別情報送信部１０５が送信し、通信部１２１が同様に受信した部分固有識別情報とを比較し、部分固有識別情報が固有識別情報の一部に合致したら、通信装置２と情報処理装置３とを組として登録する。
【００４９】
また、登録処理部１２３は、通信装置２の第２の固有識別情報送信部１０５が送信した前記部分固有識別情報が、他の通信装置が送信した部分固有識別情報と一致したら、通信装置２及び情報処理装置３の登録作業を中止する。さらに、登録処理部１２３は、通信装置２及び情報処理装置３の登録作業を中止した後、通信部１２１を介して通信装置２に部分固有識別情報の送信を要求するとともに、通信部１２１を介して情報処理装置３に固有識別情報の送信を再度要求する。
【００５０】
さらに、登録処理部１２３は、情報処理装置３の接続要求部１１４が送信した接続要求情報を通信部１２１が受信してから一定時間だけ、通信装置２と情報処理装置３との登録作業を許容する。
【００５１】
さらに、また、あるいは、登録処理部１２３は、通信装置２の第２の固有識別情報送信部１０５が送信した部分固有識別情報が、他の通信装置から送信された部分固有識別情報と一致したら、通信装置２に対して、情報処理装置３の固有識別情報であるＭＡＣアドレス３ｄの一部であり、部分固有識別情報とは異なる第２の部分固有識別情報の送信を要求し、通信装置２の第２の固有識別情報送信部１０５が送信した部分固有識別情報及び第２の部分固有識別情報のいずれもが、情報処理装置３の第１の固有識別情報送信部１１５が送信した固有識別情報の一部に合致したら、通信装置２と情報処理装置３とを組として登録する。
【００５２】
ここで、上述のように、固有識別情報たるＭＡＣアドレス３ｄが１６進数で１２桁の数字及びＡ〜Ｆの英文字からなるものである場合、部分固有識別情報は、例えばこのＭＡＣアドレス３ｄのうち最後の４桁の数字及びＡ〜Ｆの英文字からなるものとされる。また、第２の部分固有識別情報は、例えば、部分固有識別情報と異なる桁である少なくとも１桁の数字またはＡ〜Ｆの英文字からなるものとされる。
【００５３】
通信部１２１は、第１の通信回線１３０及び第２の通信回線１３１を介して通信装置２及び情報処理装置３の通信部１０１、１１１に接続可能にされている。この通信部１２１は、制御部１２０の指示に基づいて、通信装置２及び情報処理装置３が送信する接続要求情報、固有識別情報、部分固有識別情報、及び第２の部分固有識別情報を含む各種データの送受信を行う。
【００５４】
記憶部１２２は制御部１２０等の動作に必要な各種データ、プログラムを少なくとも一時的に格納するものである。また、この記憶部１２２には、登録処理部１２３による記憶装置２と情報処理装置３とを組として登録する作業の結果である登録テーブル１２４が格納されている。
【００５５】
サーバ装置７の記憶部１２２に格納されている登録テーブル１２４の概要について、図７を参照して説明する。この登録テーブル１２４には、番号欄１２４ａ、ＩＤ（Identification）欄１２４ｂ、パスワード欄１２４ｃ、ＭＡＣアドレス欄１２４ｄ、ＩＰアドレス欄１２４ｅ、ローカルアドレス欄１２４ｆが設けられている。
【００５６】
番号欄１２４ａの個々のセルには、記憶装置２と情報処理装置３との組を個々に識別するための番号が格納される。ＩＤ欄１２４ｂの個々のセルには、通信装置２及び情報処理装置３を使用するユーザが設定したＩＤが格納される。図７に示す例では、ユーザが設定したユーザ所有のメールアドレスがＩＤ欄１２４ｂに格納されている。パスワード欄１２４ｃの個々のセルには、ユーザが設定したパスワードが格納される。ＭＡＣアドレス欄１２４ｄの個々のセルには、ユーザが所有する情報処理装置３のＭＡＣアドレスが格納される。
【００５７】
ＩＰアドレス欄１２４ｅの個々のセルには、第１の通信回路１３０を含むＷＡＮなどのネットワークにおいて、情報処理装置３を特定するＩＰアドレスが格納される。本実施形態においては、情報処理装置３とサーバ装置７とはルータ４及びインターネット６を介して接続され、また、通常、ルータ４はＤＨＣＰ（Dynamic Host Configuration Protocol）サーバ機能及びグローバルＩＰアドレスとローカルＩＰアドレスとのネットワークアドレス変換（ＮＡＴ：Network Address Translation）機能を有することが多いので、ＩＰアドレス欄１２４ｅに格納されるＩＰアドレスはルータ４のグローバルＩＰアドレスであることが多い。本明細書において、ルータはＤＨＣＰサーバ機能及びネットワークアドレス変換機能を有するものとして説明を行う。あるいは、情報処理装置３が固定かつ固有のＩＰアドレスを所有している場合は、ＩＰアドレス欄１２４ｅに格納されるＩＰアドレスは情報処理装置３のＩＰアドレスである。
【００５８】
ローカルアドレス欄１２４ｆの個々のセルには、ＤＨＣＰサーバとしてのルータ４が情報処理装置３に付与したローカルＩＰアドレスが格納される。なお、上述のように情報処理装置３が固有かつ固定のＩＰアドレスを所有している場合は、このローカルアドレス欄１２４ｆの個々のセルは空欄としてもよいし、ＩＰアドレス欄１２４ｅと同一の内容が記述されてもよい。
【００５９】
そして、この登録テーブル１２４の個々のカラム（図７においてセルを横方向に並べた一列）には、一組として登録される通信装置２と情報処理装置３を特定するためのデータが格納される。
【００６０】
以上の構成において、第２の固有識別情報送信部１０５を含む制御部１００は主にＣＰＵ２０により構成され、通信部１０１は主に無線ＬＡＮモジュール２４０、移動体通信モジュール２５０、アンテナ２４１、２５４、ＵＳＢコントローラ２８０及びＵＳＢコネクタ２８１により構成され、記憶部１０２は主にＲＯＭ２１、ＲＡＭ２２及び内部ストレージ部２７により構成され、入力部１０３は主に入力インタフェース２６０及びタッチパネル２６１により構成され、表示部１０４は主に液晶ドライバ２３０、液晶パネル２３１により構成され、接続要求部１１４及び第１の固有識別情報送信部１１５を含む制御部１１０は主にＣＰＵ３０により構成され、通信部１１１は主に有線ＬＡＮモジュール３４、ＵＳＢコントローラ３５０及びＵＳＢコネクタ３５１により構成され、記憶部１１２は主にＲＯＭ３１、ＲＡＭ３２及びＨＤＤ部３３により構成され、操作部１１３は主に操作入力部３６により構成され、登録処理部１２３を含む制御部１２０は主にＣＰＵ７０により構成され、通信部１２１は主に有線ＬＡＮモジュール７４、ＵＳＢコントローラ７５０及びＵＳＢコネクタ７５１により構成され、記憶部１２２は主にＲＯＭ７１、ＲＡＭ７２及びＨＤＤ部７３により構成され、そして、第１の通信回線１３０は主にインターネット６から構成され、第２の通信回線１３１は主にインターネット６及び移動体通信網５から構成される。
【００６１】
（通信システムの動作）
次に、図８〜図１２のシーケンス図及び図１３〜図２０を参照して、本実施形態の通信システムの動作について説明する。
【００６２】
まず、図８は、本実施形態の通信システムにおけるユーザ登録の動作を説明するためのシーケンス図である。図８のシーケンス図に示す動作は、ステップＳ１０において、通信装置２の記憶部１０２に格納されたＷｅｂブラウザプログラムが起動されることで開始する。ステップＳ１１では、通信装置２の制御部１００が、予め定められたサーバ装置７のユーザ登録用ＵＲＬへのアクセス要求を送信することで、このサーバ装置７に対して接続要求情報を送信する。接続要求信号は、通信装置２の通信部１０１及び第２の通信回線１３１を介してサーバ装置７に送信され、サーバ装置７の通信部１２１により受信される。ステップＳ１２では、サーバ装置７の制御部１２０が、通信装置２から送信されてきた接続要求情報に基づいて、ユーザに対してＩＤの入力を要求する情報を送信する。
【００６３】
サーバ装置７から送信され、第２の通信回線１３１及び通信部１０１を介して接続要求情報を受信した通信装置２の制御部１００は、ステップＳ１３において、ユーザに対してＩＤの入力を要求する画面を表示するためのデータを生成し、このデータを表示部１０４に送出する。表示部１０４は、このデータに基づいて、表示画面に画面を表示する。そして、ステップＳ１４において、制御部１００はユーザからの入力を待つ。
【００６４】
表示部１０４の表示画面に表示される、ユーザに対してＩＤの入力を要求する画面の一例を図１３に示す。この画面において、ユーザは入力部１０３を用いてＩＤ入力欄２００に自らが設定したＩＤ（この画面の例ではユーザ所有のメールアドレス）を入力し、さらに、入力部１０３を操作して設定ボタン２０１を選択入力する。
【００６５】
ユーザによる設定ボタン２０１の選択入力があると、シーケンスはステップＳ１５に移行し、制御部１００は、ユーザにより入力されたＩＤをサーバ装置７に送信する。ステップＳ１６では、サーバ装置７の制御部１２０の登録処理部１２３は、通信装置２から送信されてきたユーザのＩＤを登録テーブル１２４のＩＤ欄１２４ｂに記述することで、ユーザＩＤの仮登録を行う。ステップＳ１７では、サーバ装置７の登録処理部１２３が、本登録用の認証キーを生成し、ステップＳ１６で仮登録したＩＤであるユーザのメールアドレスに対して、認証キーを記述したメールを生成して送信する。
【００６６】
通信装置２の制御部は、ステップＳ１５においてサーバ装置７にＩＤを送信した後、ステップＳ１８において、サーバ装置７から送信される認証キーの入力を要求する画面を表示するためのデータを生成し、このデータを表示部１０４に送出する。表示部１０４は、このデータに基づいて、表示画面に画面を表示する。そして、ステップＳ１９において、制御部１００はユーザからの入力を待つ。
【００６７】
表示部１０４の表示画面に表示される、ユーザに対して認証キーの入力を要求する画面の一例を図１５に示す。図１５に示す画面が表示されると、ユーザは、まず、通信装置２が備えるメール送受信プログラムを起動し、サーバ装置７が送信し、自身が有するメールアドレスを送信先とするメールの受信を確認する。図１４に示すように、サーバ装置７から認証キーが記述されたメールを受信したことを確認したら、ユーザは入力部１０３等を用いて、表示部１０４に図１５に示す画面を再度表示させる。図１５に示す画面において、ユーザは、入力部１０３を用いてサーバ装置７から送信されてきた認証キーを認証キー入力欄２０２に入力し、さらに、入力部１０３を用いてパスワード入力欄２０３に自らが設定したパスワードを入力し、さらに、入力部１０３を操作して設定ボタン２０４を選択入力する。
【００６８】
ユーザによる設定ボタン２０４の選択入力があると、シーケンスはステップＳ２０に移行し、制御部１００は、ユーザにより入力された認証キー及びパスワードをサーバ装置７に送信する。ステップＳ２１では、サーバ装置７の制御部１２０の登録処理部１２３は、通信装置２から送信されてきた認証キーがステップＳ１７で送信した認証キーと一致するか否かを判定し、一致した場合は、通信装置２から送信されてきたユーザのパスワードを登録テーブル１２４のパスワード欄１２４ｃに記述することで、ユーザＩＤの本登録を行って図８に示すシーケンスを終了する。
【００６９】
なお、ステップＳ２１において、ユーザが送信した認証キーとサーバ装置７が送信した認証キーとが一致しない場合は、サーバ装置７の登録処理部１２３はユーザＩＤの本登録を行わない。その後のサーバ装置７の動作は任意であり、ステップＳ１７で生成した認証キーと異なる認証キーを新たに生成し、ユーザ所有のメールアドレスに新たに生成した認証キーを記述したメールを送信するとともに、通信装置２に対して新たな認証キーの入力を要求し、ステップＳ２１に戻ってユーザＩＤの本登録作業を再度行ってもよい。あるいは、ユーザが送信した認証キーとサーバ装置７が送信した認証キーとが一致しないと判定したら、図８に示すユーザ登録シーケンスを終了してもよい。この場合、ユーザが送信したＩＤ等は全て消去されるので、ユーザは再度ステップＳ１０から始まるユーザ登録シーケンスを行う。
【００７０】
次に、図９は、本実施形態の通信システムにおける情報処理装置登録の動作の一例を説明するためのシーケンス図である。図９のシーケンス図に示す動作は、ステップＳ３０において、通信装置２の記憶部１０２に格納されたＷｅｂブラウザプログラムの指令により、制御部１００が情報処理装置登録要求情報をサーバ装置７に送信することで開始する。なお、ステップＳ３０に先立って、通信装置２とサーバ装置７との間の接続は確立されているものとする。ステップＳ３１では、サーバ装置７の制御部１２０の登録処理部１２３が、通信装置２から送信された情報処理装置登録要求情報に基づいて、通信部１２１を介してＭＡＣアドレス入力要求情報をこの通信装置２に送信する。
【００７１】
サーバ装置７から送信され、第２の通信回線１３１及び通信部１０１を介してＭＡＣアドレス入力要求情報を受信した通信装置２の制御部１００は、ステップＳ３２において、ユーザに対して情報処理装置３のＭＡＣアドレス３ｄの入力を要求する画面を表示するためのデータを生成し、このデータを表示部１０４に送出する。表示部１０４は、このデータに基づいて、表示画面に画面を表示する。そして、ステップＳ３３において、制御部１００はユーザからの入力を待つ。
【００７２】
表示部１０４の表示画面に表示される、ユーザに対してＭＡＣアドレス３ｄの入力を要求する画面の一例を図１６に示す。この画面において、ユーザは自身が所有する情報処理装置３のＭＡＣアドレス３ｄを構成する１２桁の数字及びＡ〜Ｆの英文字のうち、下４桁の数字及びＡ〜Ｆの英文字、すなわち部分固有識別情報を、入力部１０３を用いてＭＡＣアドレス入力欄２０５に入力し、さらに、入力部１０３を操作して設定ボタン２０６を選択入力する。
【００７３】
ユーザによる設定ボタン２０６の選択入力があると、シーケンスはステップＳ３４に移行し、制御部１００は、ユーザにより入力された部分固有識別情報であるＭＡＣアドレス３ｄの下４桁の数字及びＡ〜Ｆの英文字をサーバ装置７に送信する。ステップＳ３４において通信装置２から送信されてきた部分固有識別情報は、サーバ装置７の記憶部１２２に一時的に格納される。ステップＳ３５では、登録処理部１２３が、ファンクションボタン操作要求情報を通信装置２に送信する。
【００７４】
サーバ装置７から送信され、第２の通信回線１３１及び通信部１０１を介してファンクションボタン操作要求情報を受信した通信装置２の制御部１００は、ステップＳ３６において、ユーザに対して情報処理装置３のファンクションボタン３ｃの操作を要求する画面を表示するためのデータを生成し、このデータを表示部１０４に送出する。表示部１０４は、このデータに基づいて、表示画面に画面を表示する。そして、ステップＳ３７において、制御部１００はユーザからの入力を待つ。
【００７５】
表示部１０４の表示画面に表示される、ユーザに対してファンクションボタン３ｃの操作を要求する画面の一例を図１７に示す。ユーザは、図１６に示す画面が表示されたら、情報処理装置３の操作部１１３であるファンクションボタン３ｃを操作し、さらに、入力部１０３を操作して設定ボタン２０７を選択入力する。ユーザによる設定ボタン２０７の選択入力があると、通信装置２の制御部１００は、サーバ装置７から情報が送信されるまで待機する。
【００７６】
ステップＳ３８においてユーザが情報処理装置３のファンクションボタン３ｃを操作すると、情報処理装置３の操作部１１３は、この操作入力に対応する操作入力信号を出力する。そして、情報処理装置３の制御部１１０の接続要求部１１４は、操作部１１３から操作入力信号が出力されると、サーバ装置７への接続要求情報を生成し、ステップＳ３９において、この接続要求情報を通信部１１１を介してサーバ装置７に送信する。なお、本実施形態では、情報処理装置３の制御部１１０は、サーバ装置７からの解除指令がない限り、サーバ装置７との間の通信はファンクションボタン３ｃが操作されてから所定時間、一例として３分以上継続して行わない。このように、ファンクションボタン３ｃが操作されてからのサーバ装置７との通信時間を所定時間に限定することにより、ユーザが所有する情報処理装置３が他のユーザの通信装置２に誤って紐付けられてしまう可能性を制限している。
【００７７】
情報処理装置３から送信され、第１の通信回線１３０及び通信部１２１を介して接続要求情報を受信したサーバ装置７の制御部１２０は、ステップＳ４０において、接続要求情報を送信した情報処理装置３に対して、ＭＡＣアドレスの送信を要求する情報を送信する。サーバ装置７から送信され、第１の通信回線１３０及び通信部１１１を介してＭＡＣアドレス送信要求情報を受信した情報処理装置３の第１の固有識別情報送信部１１５は、ステップＳ４１において、サーバ装置７に対して自身の固有識別情報であるＭＡＣアドレス３ｄを送信する。ステップＳ４１において情報処理装置３から送信されてきた固有識別情報は、サーバ装置７の記憶部１２２に一時的に格納される。
ステップＳ４２では、サーバ装置７の制御部１２０の登録処理部１２３は、ステップＳ３４において通信装置２から送信され、サーバ装置７の記憶部１２２に一時的に格納されている部分固有識別情報が、同様に記憶部１２２に一時的に格納されている、現在情報処理装置３の登録作業を行っている通信装置２以外の他の通信装置から送信された部分固有識別情報に一致するか否かを判定する。
【００７８】
本実施形態では、情報処理装置３の登録作業を行うに当たり、ユーザに対して、情報処理装置３の固有識別情報であるＭＡＣアドレス３ｄの全てである１２桁の数字及びＡ〜Ｆの英文字を入力させるのではなく、部分固有識別情報、すなわちＭＡＣアドレス３ｄを構成する１２桁の数字及びＡ〜Ｆの英文字のうち下４桁を構成する数字及びＡ〜Ｆの英文字のみの入力を要求し、通信装置２からこの部分固有識別情報をサーバ装置７に送信させている。４桁の数字及びＡ〜Ｆの英文字のみを入力要求したことにより、ほぼ同時に他のユーザが他の通信装置及び情報処理装置の紐付け登録作業を行っていた場合に、他のユーザが部分固有識別情報を誤って入力したことにより、ユーザが所有する情報処理装置３が他のユーザの通信装置２に誤って紐付けられてしまう可能性が高まる。また、悪意のある他のユーザが、ユーザが所有する情報処理装置３を他のユーザが所有する通信装置２に意図的に紐付けて登録しようとすることも考えられる。そこで、本実施形態では、情報処理装置３の登録作業をほぼ同時に行っている通信装置２が複数ある場合、これら通信装置２から送信された部分固有識別情報を比較し、一致する部分固有識別情報が存在する場合は、この部分固有識別情報に対応する固有識別情報を有する情報処理装置３に対する登録作業を中止している。中止した場合の動作については後述する。
【００７９】
図９に示す例では、ステップＳ４２において、現在情報処理装置の登録作業を行っている通信装置２がユーザ所有の通信装置２のみであるか、あるいは、通信装置２から送信されてきた部分固有識別情報が、記憶部１２２に一時的に格納されている、現在情報処理装置の登録作業を行っている通信装置２以外の他の通信装置から送信された部分固有識別情報に一致しないと判定されたので、引き続き、情報処理装置の登録作業に移行する。
【００８０】
登録処理部１２３は、さらに、通信装置２から送信されてきた部分固有識別情報と下４桁が一致する固有識別情報であるＭＡＣアドレス３ｄを記憶部１２２から検索する。そして、部分固有識別情報が下４桁に一致する固有識別情報を検索できたら、登録処理部１２３は、固有識別情報の下４桁に一致する部分固有識別情報を送信した通信装置２のユーザＩＤに対応する、登録テーブル１２４のＭＡＣアドレス欄１２４ｄに、ステップＳ４１で送信されたＭＡＣアドレス３ｄを記述する。すなわち、固有識別情報の下４桁に一致する部分固有識別情報を送信した通信装置２のユーザＩＤ、パスワードがＩＤ欄１２４ｂ、パスワード欄１２４ｃにそれぞれ記述された登録テーブル１２４の同一カラムのＭＡＣアドレス欄１２４ｄに、ステップＳ４１で送信されたＭＡＣアドレス３ｄを記述する。これにより、通信装置２と情報処理装置３とを紐付けて登録することができる。この際、ＭＡＣアドレス３ｄを送信した情報処理装置３のグローバルＩＰアドレス（正確にはルータ４のグローバルＩＰアドレス）は、情報処理装置３から送信されてきたパケットに通常記述されているので、登録処理部１２３は、このグローバルＩＰアドレスをＩＰアドレス欄１２４ｅに記述する。
【００８１】
通信装置２と情報処理装置３とを紐付けて登録した登録処理部１２３は、ステップＳ４３において、登録処理完了通知として、情報処理装置３に対して、上述した、サーバ装置７との接続を所定時間のみに制限する動作の解除を指令する。これに基づいて、情報処理装置３は、サーバ装置７との通信時間制限の解除を行う。また、登録処理部１２３は、ステップＳ４４において、同様に登録完了通知として、登録処理を行った通信装置２に対して紐付け登録された情報処理装置３にアクセスするためのＵＩ（User Interface）画面情報を送信する。サーバ装置７からＵＩ画面情報を受信した通信装置２の制御部１００は、ステップＳ４５において、このＵＩ画面情報を表示部１０４に送出し、表示部１０４は、このデータに基づいて、表示画面に画面を表示する。表示部１０４の表示画面に表示される、登録処理が完了した情報処理装置３にアクセスするためのＵＩ画面の一例を図１８に示す。
【００８２】
次に、図１０は、本実施形態の通信システムにおける通信装置から情報処理装置にアクセスする動作の一例を説明するためのシーケンス図である。
【００８３】
本実施形態の通信システム１では、上述のように、ルータ４はＤＨＣＰサーバ機能とネットワークアドレス変換機能とを有するので、情報処理装置３にはローカルＩＰのみがルータから付与され、情報処理装置３からサーバ装置７にアクセスした場合、サーバ装置７はルータ４のグローバルＩＰアドレスを知るに止まる。また、ルータ４と情報処理装置３とを含むローカルなネットワークにおいてネットワーク構成が変更されると、情報処理装置３に付与されるローカルＩＰアドレスも変更する可能性がある。従って、サーバ装置７から情報処理装置３にアクセスする際に、ルータ４のグローバルＩＰアドレスと情報処理装置３のローカルＩＰアドレスとをサーバ装置７が事前に知っておくことが好ましい。
【００８４】
このため、本実施形態の通信システム１では、ステップＳ５０において情報処理装置３の制御部１１０が一定時間（一例として３０分）計時したら、制御部１１０はルータ４のグローバルＩＰアドレスと情報処理装置３のローカルＩＰアドレスとを含むパケットであるポーリング信号を、通信部１１１を介してサーバ装置７に送信している。ポーリング信号を受信したサーバ装置７の登録処理部１２３は、ルータ４のグローバルＩＰアドレスと情報処理装置３のローカルＩＰアドレスとを登録テーブル１２４のＩＰアドレス欄１２４ｅとローカルアドレス欄１２４ｆとにそれぞれ格納する。そして、ステップＳ５０〜ステップＳ５２が、上述した一定時間毎に実行されることで、ポーリング信号が情報処理装置３からサーバ装置７に定期的に送信される。
【００８５】
通信装置２から自身が登録した情報処理装置３にアクセスして、その記憶部１１２に格納された動画コンテンツデータ、音楽コンテンツデータを通信装置２で再生することを希望するユーザは、通信装置２を操作して情報処理装置３のアクセスを指令する。
【００８６】
ユーザからのアクセス指令に基づいて、ステップＳ５３では、通信装置２の制御部１００が、登録済の情報処理装置３へのアクセス要求情報をサーバ装置７に送信する。情報処理装置３へのアクセス要求情報を受信したサーバ装置７の制御部は、ステップＳ５４において、アクセス要求情報を送信した通信装置２に対して、ＩＤ、パスワードの入力を要求する情報を送信する。
【００８７】
サーバ装置７からのＩＤ、パスワード入力要求情報を受信した通信装置２の制御部１００は、ステップＳ５５において、ユーザに対してＩＤ、パスワードの入力を要求する画面を表示するためのデータを生成し、このデータを表示部１０４に送出する。表示部１０４は、このデータに基づいて、表示画面に画面を表示する。そして、ステップＳ５６において、制御部１００はユーザからの入力を待つ。
【００８８】
ユーザによるＩＤ、パスワードの入力及び不図示の設定ボタンの選択入力があると、シーケンスはステップＳ５７に移行し、制御部１００は、ユーザにより入力されたＩＤ及びパスワードをサーバ装置７に送信する。通信装置２からのＩＤ及びパスワードを受信したサーバ装置７の登録処理部１２３は、ステップＳ５８において、通信装置２から送信されたＩＤを登録テーブル１２４のＩＤ欄１２４ｂから検索し、検索されたＩＤ欄１２４ｂのカラムにあるパスワード欄１２４ｃに記述されているパスワードと通信装置２から送信されたパスワードとが一致するか否かを判定する。すなわち、ユーザＩＤの認証処理を行う。図１０に示す例では、パスワード欄１２４ｃに記述されているパスワードと通信装置２から送信されたパスワードとが一致したので、以降のシーケンスに進む。
【００８９】
ステップＳ５９では、登録処理部１２３が登録テーブル１２４を参照し、認証されたユーザＩＤのカラムにあるＩＰアドレス欄１２４ｅに記述されているグローバルＩＰアドレス及びローカルアドレス欄１２４ｆに記述されているローカルＩＰアドレスを抽出し、これらグローバルＩＰアドレス及びローカルＩＰアドレスで特定される情報処理装置３に対して、アクセス要求情報を送信する。この情報処理装置３は、図８及び図９に示す登録処理動作において、アクセスを要求している通信装置２と組になって登録された情報処理装置３である。サーバ装置７からアクセス要求情報を受信した情報処理装置３の制御部１１０は、ステップＳ６０において、記憶部１１２にアクセスしてこの記憶部１１２内に格納されているファイル、データのリスト情報を入手し、このリスト情報とともにアクセス応答情報をサーバ装置７に送信する。
【００９０】
情報処理装置３からのアクセス応答情報を受信したサーバ装置７の制御部１２０は、ステップＳ６１において、通信装置２の表示画面において情報処理装置３の記憶部１１２に格納されているファイル、データのリストを表示するためのＵＩ画面情報を、情報処理装置３から送信されたリスト情報に基づいて生成し、ステップＳ６２において、このＵＩ画面情報を通信装置２に送信する。サーバ装置７からＵＩ画面情報を受信した通信装置２の制御部１００は、ステップＳ６３において、このＵＩ画面情報を表示部１０４に送出し、表示部１０４は、このデータに基づいて、表示画面に画面を表示する。表示部１０４の表示画面に表示される、情報処理装置３のファイル、データにアクセスするためのＵＩ画面の一例を図１９に示す。
【００９１】
以降は、図１９に示すような画面を見て、ユーザが入力部１０３を用いてアクセスを希望するファイルの選択入力を行うと、選択入力情報が通信装置２からサーバ装置７に送信される。サーバ装置７は、通信装置２から送信された選択入力情報を参照し、ユーザが選択入力を行った情報処理装置３の記憶部１１２内のファイル、データを特定し、情報処理装置３に対して特定されたファイル、データへのアクセス要求を送信する。サーバ装置７からのアクセス要求を受信した情報処理装置３は、記憶部１１２にアクセスしてアクセス要求のあったファイル、データを読み出し、アクセス応答として読み出されたファイル、データを転送する。サーバ装置７は、情報処理装置３から転送されたファイル、データを一時的に記憶部１２２に格納し、次いで、このファイル、データを通信装置２に転送する。このようにして、通信装置２は、情報処理装置３の記憶部１１２内に格納されているファイル、データにアクセスし、通信装置２において再生等の処理を行うことができる。
【００９２】
次に、図１１及び図１２は、本実施形態の通信システムにおける情報処理装置登録の動作の他の例を説明するためのシーケンス図である。
【００９３】
図１１のステップＳ７０〜ステップＳ８２に示す動作は、図９のステップＳ３０〜ステップＳ４２に示す動作と同様であるので、その説明を省略する。図１１に示す例では、ステップＳ８２において、通信装置２から送信されてきた部分固有識別情報が、記憶部１２２に一時的に格納されている、現在情報処理装置の登録作業を行っている通信装置２以外の他の通信装置から送信された部分固有識別情報に一致すると判定されたので、ステップＳ８３では、サーバ装置７の登録処理部１２３は、記憶部１２２に一時的に格納されている部分固有識別情報のうち、一致すると判定された、通信装置２から送信された部分固有識別情報と他の通信装置から送信された部分固有識別情報とを破棄し、ステップＳ７０〜ステップＳ８２で行われていた情報処理装置３の登録作業を中止、解除する。
【００９４】
以降は、図１２のステップＳ８４〜ステップＳ８７において、ステップＳ７１〜ステップＳ７４とほぼ同様の動作が行われる。但し、ステップＳ８４において、ユーザに対して情報処理装置３のＭＡＣアドレス３ｄの再入力を要求する画面を表示するためのデータは、ステップＳ７２における、ユーザに対して情報処理装置３のＭＡＣアドレス３ｄの入力を要求する画面を表示するためのデータの一部を変更したものである。具体的には、ユーザに対して情報処理装置３の登録作業にエラーが生じていること、及び、ユーザに対して情報処理装置３のＭＡＣアドレス３ｄの再入力を要求する内容が追加されたデータである。ステップＳ８４において送信されたデータに基づいて、ステップＳ７８で通信装置２の表示部１０４で表示される画面の一例を図２０に示す。
【００９５】
そして、ステップＳ８８において、現在情報処理装置の登録作業を行っている通信装置２がユーザ所有の通信装置２のみであるか、あるいは、通信装置２から送信されてきた部分固有識別情報が、記憶部１２２に一時的に格納されている、現在情報処理装置の登録作業を行っている通信装置２以外の他の通信装置から送信された部分固有識別情報に一致しないと判定された場合は、図９のステップＳ４２における情報処理装置３と通信装置２との紐付け動作及びステップＳ４３以降の動作が実行される。
【００９６】
一方、ステップＳ８８において、通信装置２から送信されてきた部分固有識別情報が、記憶部１２２に一時的に格納されている、現在情報処理装置の登録作業を行っている通信装置２以外の他の通信装置から送信された部分固有識別情報に一致すると判定された場合は、ステップＳ８４〜ステップＳ８８の動作を繰り返す。ステップＳ８４〜ステップＳ８８の動作を繰り返す回数は任意である。あるいは、図１１〜図１２に示すシーケンスが開始されてからの時間をサーバ装置７が計時し、一定時間以上経過した時点で図１１〜図１２に示すシーケンスを強制的に終了させてもよい。あるいは、ステップＳ８４〜ステップＳ８７の動作を行わず、ステップＳ８３において情報処理装置３の登録作業を解除したら、図１１〜図１２に示すシーケンスを強制的に終了させてもよい。
【００９７】
以上詳細に説明したように、本実施形態の通信システム１では、サーバ装置７における情報処理装置３の登録作業の際に、通信装置２から送信されてきた、情報処理装置３が有する固有識別情報の一部である部分固有識別情報が、現在情報処理装置の登録作業を行っている通信装置２以外の他の通信装置から送信された部分固有識別情報に一致するとサーバ装置７が判定した場合、通信装置２から送信された部分固有識別情報と他の通信装置から送信された部分固有識別情報とを破棄し、情報処理装置３の登録作業を中止している。これにより、情報処理装置３が誤って他のユーザが所有する通信装置２と組になって登録される事態を制限することができ、情報処理装置３と通信装置２との登録作業を確実に行うことができる。
【００９８】
特に、上述のように、本実施形態では、ユーザが通信装置２に入力させる情報を、情報処理装置３の固有識別情報であるＭＡＣアドレス３ｄの下４桁にしており、ＭＡＣアドレス３ｄの全て、すなわち１２桁をユーザが通信装置２に入力させる場合に比較して、ユーザの入力作業を簡略化して情報処理装置３と通信装置２との登録作業を簡易に行うことができる。しかも、ユーザの入力作業の簡略化に伴って生じる可能性がある、ユーザの部分固有識別情報の誤入力があっても、誤入力に起因して情報処理装置３が誤って他のユーザが所有する通信装置２と組になって登録される事態を制限することができ、情報処理装置３と通信装置２との登録作業を確実に行うことができる。
【００９９】
（第２実施形態）
次に、図２１及び図２２は、本発明の第２実施形態である通信システムの動作を説明するためのシーケンス図である。本実施形態の通信システムは、その構成が上述の第１実施形態の通信システムと略同一であり、動作に相違点がある。すなわち、上述の第１実施形態においては、通信装置２から部分固有識別情報を送信してサーバ装置７で他の通信装置から送信された部分固有識別情報との一致、不一致を判定した後に、情報処理装置３のファンクションボタン３ｃの操作を要求していたが、本実施形態では、通信装置２から部分固有識別情報を送信する動作と情報処理装置３のファンクションボタン３ｃの操作とをほぼ同時に要求する点が相違する。従って、第１実施形態と同一の構成要素については同一の符号を付し、その説明を簡略化する。
【０１００】
図２１は、本実施形態の通信システムにおける情報処理装置登録の動作の一例を説明するためのシーケンス図である。図２１のステップＳ９０〜ステップＳ９２に示す動作は、図９のステップＳ３０〜ステップＳ３２に示す動作とほぼ同様であるので、その説明を省略する。但し、ステップＳ９２において、ユーザに対して情報処理装置３のＭＡＣアドレス３ｄの入力を要求する画面を表示するためのデータは、ステップＳ３２において、ユーザに対して情報処理装置３のＭＡＣアドレス３ｄの入力を要求する画面を表示するためのデータの一部を変更したものである。具体的には、ユーザに対して、情報処理装置３の固有識別情報であるＭＡＣアドレス３ｄの入力を要求する内容に、情報処理装置３の操作部１１３であるファンクションボタン３ｃの操作を要求する内容が追加されたデータである。ステップＳ９１において送信されたデータに基づいて、ステップＳ９２で通信装置２の表示部１０４で表示される画面の一例を図２３に示す。
【０１０１】
次いで、図２１のステップＳ９３〜ステップＳ９６に示す動作は、図９のステップＳ３８〜ステップＳ４１に示す動作と同様である。ここで、情報処理装置３の制御部１１０は、ステップＳ９３において操作部１１３が操作される、すなわちファンクションボタン３ｃが操作されると、操作部１１３に付属する光源部を点滅動作させ、さらに、ステップＳ９６においてサーバ装置７に対して固有識別情報であるＭＡＣアドレスの送信作業を終了したら、操作部１１３に付属する光源部を一定時間（例えば３０秒）点灯動作させる。そして、ステップＳ９７において、制御部１００はユーザからの入力を待つ。
【０１０２】
ユーザは、図２３に示す画面が表示されたら、情報処理装置３の操作部１１３であるファンクションボタン３ｃを操作して、操作部１１３の光源部が点滅動作することを確認する。さらに、ユーザは、操作部１１３の光源部が点灯動作するのを待ち、操作部１１３の光源部が点灯動作したら、入力部１０３を操作して設定ボタン２０６を選択入力する。ユーザによる設定ボタン２０６の選択入力があると、通信装置２の制御部１００は、ステップＳ９８において、ユーザにより入力された部分固有識別情報であるＭＡＣアドレス３ｄの下４桁の数字又は及びＡ〜Ｆの英文字をサーバ装置７に送信する。
【０１０３】
ステップＳ９９では、サーバ装置７の制御部１２０の登録処理部１２３が、ステップＳ９４において通信装置２が送信した部分固有識別情報が、記憶部１２２に一時的に格納されている、現在情報処理装置の登録作業を行っている通信装置２以外の他の通信装置から送信された部分固有識別情報に一致するか否かを判定する。
【０１０４】
図２１に示す例では、ステップＳ９９において、現在情報処理装置の登録作業を行っている通信装置２がユーザ所有の通信装置２のみであるか、あるいは、通信装置２から送信されてきた部分固有識別情報が、記憶部１２２に一時的に格納されている、現在情報処理装置の登録作業を行っている通信装置２以外の他の通信装置から送信された部分固有識別情報に一致しないと判定されたので、情報処理装置３から送信されたＭＡＣアドレス３ｄを受信したサーバ装置７の制御部１２０の登録処理部１２３は、ステップＳ９９において、情報処理装置３から送信されてきた固有識別情報であるＭＡＣアドレス３ｄの下４桁に一致する部分固有識別情報を記憶部１２２から検索する。
【０１０５】
そして、固有識別情報の下４桁に一致する部分固有識別情報が検索できたら、登録処理部１２３は、固有識別情報の下４桁に一致する部分固有識別情報を送信した通信装置２のユーザＩＤに対応する、登録テーブル１２４のＭＡＣアドレス欄１２４ｄに、ステップＳ９８で送信されたＭＡＣアドレス３ｄを記述する。これにより、通信装置２と情報処理装置３とを紐付けて登録することができる。この際、ＭＡＣアドレス３ｄを送信した情報処理装置３のグローバルＩＰアドレス（正確にはルータ４のグローバルＩＰアドレス）は、情報処理装置３から送信されてきたパケットに通常記述されているので、登録処理部１２３は、このグローバルＩＰアドレスをＩＰアドレス欄１２４ｅに記述する。
【０１０６】
さらに、図２１のステップＳ１００〜ステップＳ１０２に示す動作は、図９のステップＳ４３〜ステップＳ４５に示す動作と同様である。
【０１０７】
次に、図２２は、本実施形態の通信システムにおける情報処理装置登録の動作の他の例を説明するためのシーケンス図である。図２２のステップＳ１１０〜ステップＳ１１９に示す動作は、図２１のステップＳ９０〜ステップＳ９９に示す動作と同様であるので、その説明を省略する。
【０１０８】
図２２に示す例では、ステップＳ１１９において、通信装置２から送信されてきた部分固有識別情報が、記憶部１２２に一時的に格納されている、現在情報処理装置の登録作業を行っている通信装置２以外の他の通信装置から送信された部分固有識別情報に一致すると判定されたので、ステップＳ１２０では、サーバ装置７の登録処理部１２３は、記憶部１２２に一時的に格納されている部分固有識別情報のうち、一致すると判定された、通信装置２から送信された部分固有識別情報と他の通信装置から送信された部分固有識別情報とを破棄し、ステップＳ１１０〜ステップＳ１１９で行われていた情報処理装置３の登録作業を中止、解除する。
【０１０９】
以降は、ステップＳ１２１〜ステップＳ１２５において、図１２のステップＳ８４〜ステップＳ８８と同様の動作が行われる。そして、ステップＳ１２５において、現在情報処理装置の登録作業を行っている通信装置２がユーザ所有の通信装置２のみであるか、あるいは、通信装置２から送信されてきた部分固有識別情報が、記憶部１２２に一時的に格納されている、現在情報処理装置の登録作業を行っている通信装置２以外の他の通信装置から送信された部分固有識別情報に一致しないと判定された場合は、図２１のステップＳ１００以降の動作が実行される。
【０１１０】
一方、ステップＳ１２５において、通信装置２から送信されてきた部分固有識別情報が、記憶部１２２に一時的に格納されている、現在情報処理装置の登録作業を行っている通信装置２以外の他の通信装置から送信された部分固有識別情報に一致すると判定された場合は、ステップＳ１２０〜ステップＳ１２５の動作を繰り返す。ステップＳ１２０〜ステップＳ１２５の動作を繰り返す回数は任意である。あるいは、図２２に示すシーケンスが開始されてからの時間をサーバ装置７が計時し、一定時間以上経過した時点で図２２に示すシーケンスを強制的に終了させてもよい。あるいは、ステップＳ１２１〜ステップＳ１２５の動作を行わず、ステップＳ１２０において情報処理装置３の登録作業を解除したら、図２２に示すシーケンスを強制的に終了させてもよい。
【０１１１】
従って、本実施形態によっても、上述の第１実施形態と同様に、情報処理装置３が誤って他のユーザが所有する通信装置２と組になって登録される事態を制限することができるとともに、ユーザの入力作業を簡略化して情報処理装置３と通信装置２との登録作業を簡易かつ確実に行うことができる、という効果を奏することができる。
【０１１２】
（第３実施形態）
次に、図２４〜図２５は、本発明の第３実施形態である通信システムの動作を説明するためのシーケンス図である。本実施形態の通信システムは、その構成が上述の第１実施形態及び第２実施形態の通信システムと略同一であり、動作に相違点がある。すなわち、上述の第１実施形態及び第２実施形態においては、通信装置２から送信した部分固有識別情報が他の通信装置から送信された部分固有識別情報と一致した場合、サーバ装置７が再度通信装置２に部分固有識別情報の送信を要求していたが、本実施形態では、通信装置２から送信した部分固有識別情報が他の通信装置から送信された部分固有識別情報と一致した場合、サーバ装置７が通信装置２に対して部分固有識別情報と異なる第２の部分固有識別情報、すなわち、ＭＡＣアドレス３ｄの下４桁と異なる桁、より詳細には下４桁以外の特定の１桁の数字またはＡ〜Ｆの英文字の送信を要求する点が相違する。従って、第１実施形態及び第２実施形態と同一の構成要素については同一の符号を付し、その説明を簡略化する。
【０１１３】
図２４のステップＳ１３０〜ステップＳ１４２に示す動作は、図１１のステップＳ７０〜ステップＳ８２に示す動作と同様であるので、その説明を省略する。図２４に示す例では、図１１と同様に、ステップＳ１４２において、通信装置２から送信されてきた部分固有識別情報が、記憶部１２２に一時的に格納されている、現在情報処理装置の登録作業を行っている通信装置２以外の他の通信装置から送信された部分固有識別情報に一致すると判定されたものとする。本実施形態では、第１実施形態の図１１に示すシーケンスと異なり、ステップＳ１４２の判定に基づいて直ちに情報処理装置３の登録作業を中止、解除するのではなく、ステップＳ１４３において、通信装置２に対してＭＡＣアドレスの追加入力要求情報、すなわち、ＭＡＣアドレス３ｄの下４桁以外の特定の１桁の数字またはＡ〜Ｆの英文字の送信を要求する情報を送信する。第２の部分固有識別情報をＭＡＣアドレス３ｄのいずれの１桁にするかは、下４桁以外であればいずれの桁であってもよく、特定の桁に固定してもよいし、ランダムに定めた１桁であってもよい。
【０１１４】
サーバ装置７から送信されたＭＡＣアドレス追加入力要求情報を受信した通信装置２の制御部１００は、図２５のステップＳ１４４において、ユーザに対して情報処理装置３のＭＡＣアドレス３ｄの追加入力を要求する画面を表示するためのデータを生成し、このデータを表示部１０４に送出する。表示部１０４は、このデータに基づいて、表示画面に画面を表示する。そして、ステップＳ１４５において、制御部１００はユーザからの入力を待つ。
【０１１５】
表示部１０４の表示画面に表示される、ユーザに対してＭＡＣアドレス３ｄの追加入力を要求する画面の一例を図２６に示す。この画面において、ユーザは自身が所有する情報処理装置３のＭＡＣアドレス３ｄを構成する１２桁の数字及びＡ〜Ｆの英文字のうち、最初から７桁目の１桁の数字またはＡ〜Ｆの英文字、すなわち第２の部分固有識別情報を、入力部１０３を用いてＭＡＣアドレス入力欄２０８に入力し、さらに、入力部１０３を操作して設定ボタン２０９を選択入力する。
【０１１６】
ユーザによる設定ボタン２０９の選択入力があると、シーケンスはステップＳ１４６に移行し、制御部１００は、ユーザにより入力された第２の部分固有識別情報であるＭＡＣアドレス３ｄの最初から７桁目である１桁の数字またはＡ〜Ｆの英文字をサーバ装置７に送信する。ステップＳ１４７では、サーバ装置７の制御部１２０の登録処理部１２３は、通信装置２から送信されてきた第２の部分固有識別情報が、記憶部１２２に一時的に格納されている、現在登録作業を行っている情報処理装置３の固有識別情報の当該桁（この実施形態では最初から７桁目の１桁）の数字またはＡ〜Ｆの英文字に一致するか否かを判定する。
【０１１７】
そして、ステップＳ１４７において、通信装置２から送信されてきた第２の部分固有識別情報が、記憶部１２２に一時的に格納されている、現在登録作業を行っている情報処理装置３の固有識別情報の当該桁の数字またはＡ〜Ｆの英文字に一致すると判定された場合は、図９のステップＳ４３以降の動作が実行される。
【０１１８】
一方、ステップＳ１４７において、通信装置２から送信されてきた第２の部分固有識別情報が、記憶部１２２に一時的に格納されている、現在登録作業を行っている情報処理装置３の固有識別情報の当該桁の数字またはＡ〜Ｆの英文字に一致しないと判定された場合は、ステップＳ１４３〜ステップＳ１４７の動作を繰り返す。この場合、サーバ装置７の登録処理部１２３は、ステップＳ１４３を実行する毎に異なる位置の桁のＭＡＣアドレス追加入力を要求することが好ましい。ステップＳ１４３〜ステップＳ１４７の動作を繰り返す回数は任意である。あるいは、図２４〜図２５に示すシーケンスが開始されてからの時間をサーバ装置７が計時し、一定時間以上経過した時点で図２４〜図２５に示すシーケンスを強制的に終了させてもよい。あるいは、ステップＳ１４３〜ステップＳ１４７の動作を一度のみ行い、ステップＳ１４２において、通信装置２から送信されてきた第２の部分固有識別情報が、記憶部１２２に一時的に格納されている、現在登録作業を行っている情報処理装置３の固有識別情報の当該桁の数字またはＡ〜Ｆの英文字に一致しないと判定された場合、図２４に示すシーケンスを終了させてもよい。
【０１１９】
従って、本実施形態によっても、上述の第１実施形態及び第２実施形態と同様に、情報処理装置３が誤って他のユーザが所有する通信装置２と組になって登録される事態を制限することができるとともに、ユーザの入力作業を簡略化して情報処理装置３と通信装置２との登録作業を簡易かつ確実に行うことができる、という効果を奏することができる。
【０１２０】
（第４実施形態）
次に、図２７〜図３１は、本発明の第４実施形態である通信システムの動作を説明するためのシーケンス図である。本実施形態の通信システムは、その構成が上述の第１実施形態の通信システムと略同一であり、動作に相違点がある。すなわち、上述の第１実施形態においては、通信装置２において起動されるプログラムがＷｅｂブラウザプログラムであり、通信装置２は、サーバ装置７から送信された情報に基づいて各種表示動作等を行っていたが、本実施形態では、通信装置２において起動されるプログラムはアプリケーションプログラムであり、第１実施形態と比較して動作をより自律的に行える点が相違する。従って、第１実施形態及び第２実施形態と同一の構成要素については同一の符号を付し、その説明を簡略化する。
【０１２１】
まず、図２７は、本実施形態の通信システムにおけるユーザ登録の動作を説明するためのシーケンス図である。図２７のシーケンス図に示す動作は、ステップＳ１５０において、通信装置２の記憶部１０２に格納されたアプリケーションプログラムが起動されることで開始する。ステップＳ１５１では、通信装置２の制御部１００が、ユーザに対してＩＤ及びパスワードの入力を要求する画面を表示するためのデータを生成し、このデータを表示部１０４に送出する。表示部１０４は、このデータに基づいて、表示画面に画面を表示する。そして、ステップＳ１５２において、制御部１００はユーザからの入力を待つ。表示部１０４の表示画面に表示される、ユーザに対してＩＤ等の入力を要求する画面の一例は図１３と同様であるが、図１３に示す画面と比較して、ＩＤ及びパスワードの双方の入力を要求する欄が設けられている点が異なる。
【０１２２】
ユーザによる設定ボタンの選択入力があると、シーケンスはステップＳ１５３に移行し、制御部１００は、ユーザにより入力されたＩＤ、パスワード及び接続要求情報をサーバ装置７に送信する。ステップＳ１５４では、サーバ装置７の制御部１２０の登録処理部１２３は、通信装置２から送信されてきたユーザのＩＤを登録テーブル１２４のＩＤ欄１２４ｂに記述し、パスワードを登録テーブル１２４のパスワード欄１２４ｃに記述することで、ユーザＩＤの登録を行う。
【０１２３】
次に、図２８は、本実施形態の通信システムにおける情報処理装置登録の動作の一例を説明するためのシーケンス図である。図２８のシーケンス図に示す動作は、第１実施形態の図９のシーケンス図に示す動作と比較して、通信装置２の制御部１００による情報処理装置登録要求情報の送信動作、及びサーバ装置７の制御部１２０によるＭＡＣアドレス入力要求情報の送信動作を待たずに、通信装置２の制御部１００において起動されているアプリケーションプログラムの動作に基づき、ステップＳ１６０において、この制御部１００がユーザに対して情報処理装置３のＭＡＣアドレス３ｄの入力を要求する画面を表示するためのデータを生成し、このデータを表示部１０４に送出する。表示部１０４は、このデータに基づいて、表示画面に画面を表示する。以降、ステップＳ１６１〜ステップＳ１７３の動作は、図９のステップＳ３３〜ステップＳ４５の動作と同様であるので、その説明を省略する。
【０１２４】
次に、図２９は、本実施形態の通信システムにおける通信装置から情報処理装置にアクセスする動作の一例を説明するためのシーケンス図である。図２９において、ステップＳ１８０〜ステップＳ１８２の動作は、図１０のステップＳ５０〜ステップＳ５２の動作と同様であるので、その説明を省略する。通信装置２から自身が登録した情報処理装置３にアクセスして、その記憶部１１２に格納された動画コンテンツデータ、音楽コンテンツデータを通信装置２で再生することを希望するユーザは、通信装置２を操作して情報処理装置３のアクセスを指令する。
【０１２５】
ユーザからのアクセス指令に基づいて、ステップＳ１８３では、通信装置２の制御部１００において起動されているアプリケーションプログラムの動作に基づき、この制御部１００がユーザに対してＩＤ、パスワードの入力を要求する画面を表示するためのデータを生成し、このデータを表示部１０４に送出する。表示部１０４は、このデータに基づいて、表示画面に画面を表示する。以降、ステップＳ１８４〜ステップＳ１９１の動作は、図１０のステップＳ５６〜ステップＳ６３と同様であるので、その説明を省略する。
【０１２６】
但し、本実施形態では、ステップＳ１８８以降の動作が第１実施形態の動作と若干異なる。すなわち、ステップＳ１８８において、情報処理装置３の制御部１１０は、記憶部１１２内に格納されているファイル、データのリスト情報のみを入手し、このリスト情報のみをサーバ装置７に送信する。情報処理装置３からのリスト情報を受信したサーバ装置７の制御部１２０は、ステップＳ１８９において、情報処理装置３の記憶部１１２に格納されているファイル、データのリストを生成し、ステップＳ１９０において、制御部１２０は
このリスト情報を通信装置２に送信する。サーバ装置７からリスト情報を受信した通信装置２の制御部１００は、ステップＳ１９１において、このリスト情報に基づいてＵＩ画面を表示するためのデータを生成し、このデータを表示部１０４に送出し、表示部１０４は、表示画面に画面を表示する。
【０１２７】
次に、図３０及び図３１は、本実施形態の通信システムにおける情報処理装置登録の動作の他の例を説明するためのシーケンス図である。図３０〜図３１のシーケンス図に示す動作は、第１実施形態の図１１〜図１２のシーケンス図に示す動作と比較して、通信装置２の制御部１００による情報処理装置登録要求情報の送信動作、及びサーバ装置７の制御部１２０によるＭＡＣアドレス入力要求情報の送信動作を待たずに、通信装置２の制御部１００において起動されているアプリケーションプログラムの動作に基づき、ステップＳ２００において、この制御部１００がユーザに対して情報処理装置３のＭＡＣアドレス３ｄの入力を要求する画面を表示するためのデータを生成し、このデータを表示部１０４に送出する。表示部１０４は、このデータに基づいて、表示画面に画面を表示する。以降、ステップＳ２０１〜ステップＳ２１６の動作は、図１１〜図１２のステップＳ７３〜ステップＳ８８の動作と同様であるので、その説明を省略する。
【０１２８】
従って、本実施形態によっても、上述の第１実施形態〜第３実施形態と同様に、情報処理装置３が誤って他のユーザが所有する通信装置２と組になって登録される事態を制限することができるとともに、ユーザの入力作業を簡略化して情報処理装置３と通信装置２との登録作業を簡易かつ確実に行うことができる、という効果を奏することができる。特に、本実施形態では、通信装置２の制御部１００においてアプリケーションプログラムを起動し、このアプリケーションプログラムによって各種動作を制御、実行しているので、Ｗｅｂブラウザプログラムによって各種動作を制御、実行している第１実施形態と比較して、サーバ装置７と通信装置２との間の動作を簡略化でき、送受信すべきデータ量も削減できて、動作の高速化を図ることができる。
【０１２９】
（変形例）
なお、本発明の通信システムは、その細部が上述した第１〜第３実施形態に限定されず、種々の変形例が可能である。一例として、上述の各実施形態において、情報処理装置３はＮＡＳに代表されるものであったが、これに限定されず、通信装置２からのアクセスを許容する情報処理装置であれば好適に適用可能である。一例として、上述の第１実施形態におけるルータ４も本発明における情報処理装置に含まれる。ルータ４と通信装置２とを紐付けて登録した場合、このルータ４の設定を通信装置２から行うことが可能になる。
【０１３０】
また、上述の各実施形態において、サーバ装置７から情報処理装置３にアクセスする際に、ルータ４のグローバルＩＰアドレスと情報処理装置３のローカルＩＰアドレスとをサーバ装置７が事前に知っておくことが好ましいとの目的から、情報処理装置３がサーバ装置７に対して定期的にポーリング動作を行っていた（例えば第１実施形態ではステップＳ５０〜ステップＳ５２の動作）が、上述したように、サーバ装置７は情報処理装置３等とＨＴＴＰプロトコルを用いて通信を行っているので、サーバ装置７と情報処理装置３との間のセッションが切れない、つまりサーバ装置７においてタイムアウトと判断されない程度（例えば３０秒）の時間内であれば、情報処理装置３は定期的にポーリング動作をする必要はない。同様に、サーバ装置７と情報処理装置３との間のセッションが切れない程度の時間間隔で、情報処理装置３がサーバ装置７に何らかの形で定期的にアクセスしていれば、各実施形態において説明したポーリング動作のように、ルータ４のグローバルＩＰアドレスと情報処理装置３のローカルＩＰアドレスとを含むパケットであるポーリング信号を、通信部１１１を介してサーバ装置７に送信する必要はない。
【０１３１】
また、上述の第３実施形態では、ステップＳ１４３において、通信装置２に対して第２の部分固有識別情報の送信を要求する際に、サーバ装置７は特定の桁またはランダムに定めた桁の入力を要求していたが、第２の部分固有識別情報をＭＡＣアドレスのいずれの桁にするかについては、他の手法を適用することが可能である。一例として、サーバ装置７は、この時点で情報処理装置３から既に固有識別情報であるＭＡＣアドレスを受信し、通信装置２から既に部分固有識別情報であるＭＡＣアドレスの下４桁を受信しているので、自身の記憶部１２２、あるいはインターネット６上のサーバにアクセスし、既に出荷されている製品のＭＡＣアドレス一覧を参照する。そして、サーバ装置７は、部分固有識別情報と下４桁が一致するＭＡＣアドレスのリストを抽出し、これらＭＡＣアドレスリストの中で重複しない桁を検索してこれを第２の部分固有識別情報としてもよい。あるいは、情報処理装置３と同一の型番の製品の中でＭＡＣアドレスのリストを抽出してもよい。なお、ＭＡＣアドレスのうち上位数桁はいわゆるベンダーＩＤであり、このベンダーＩＤに対応するＭＡＣアドレスの桁を第２の部分固有識別情報として送信を要求した場合、再度第２の部分固有識別情報が一致する確率が高くなる可能性があるので、このベンダーＩＤを避けて第２の部分固有識別情報を設定してもよい。
【０１３２】
さらに、上述の各実施形態では、サーバ装置７はいわゆるリレーサーバとして動作していたが、サーバ装置７は他の動作を行うサーバ装置であってもよい。より詳細には、サーバ装置７が、通信装置２から情報処理装置３へのアクセスの度に異なる時限的なＵＲＬを発行し、通信装置２からサーバ装置７へアクセスする際にはこの時限的なＵＲＬを用い、サーバ装置７が情報処理装置３にリダイレクトする、いわゆる名前解決サーバとして動作してもよい。あるいは、いわゆるＰ２Ｐ技術を用いて通信装置２が情報処理装置３に直接アクセスする際に、互いのＰ２Ｐ通信を補助するようなサーバとして動作してもよい。
【０１３３】
そして、上述の一実施形態において、通信装置２、情報処理装置３等を動作させるプログラムはＲＯＭ２１、３１、７１等に格納されて提供されていたが、不図示の光学ディスクドライブ、ＵＳＢコネクタ２８１、３５１及びＵＳＢコントローラ２８０、３５０等を用いて、プログラムが格納されたＤＶＤ（Digital Versatile Disc）、ＵＳＢフラッシュメモリ装置等を接続し、このＤＶＤ等からプログラムを通信装置２等に読み込んでこれら通信装置２等を動作させてもよい。また、インターネット６上の装置内にプログラムを格納しておき、無線ＬＡＮモジュール２４０、移動体通信モジュール２５０、有線ＬＡＮモジュール３４、７４等を介してこのプログラムを通信装置２等に読み込んでこれら通信装置２等を動作させてもよい。さらに、上述の一実施形態において、通信装置２等は複数のハードウェア要素により構成されていたが、これらハードウェア要素の一部の動作をＣＰＵ２０、３０、７０等がプログラムの動作により実現することも可能である。
【符号の説明】
【０１３４】
１    通信システム
２    通信装置
３    情報処理装置
３ｃ  ファンクションボタン
３ｄ  ＭＡＣアドレス
４    ルータ
５    移動体通信網
６    インターネット
７    サーバ装置
２０、３０、７０  ＣＰＵ
２１、３１、７１  ＲＯＭ
２２、３２、７２  ＲＡＭ
２７    内部ストレージ部
３３、７３    ＨＤＤ部
３４、７４    有線ＬＡＮモジュール
３６    操作入力部
１００、１１０、１２０  制御部
１０１、１１１、１２１  通信部
１０２、１１２、１２２  記憶部
１０３  入力部
１０４  表示部
１０５  第２の固有識別情報送信部
１１３  操作部
１１４  接続要求部
１１５  第１の固有識別情報送信部
１２３  登録処理部
１２４  登録テーブル
１２４ａ  番号欄
１２４ｂ  ＩＤ（Identification）欄
１２４ｃ  パスワード欄
１２４ｄ  ＭＡＣアドレス欄
１２４ｅ  ＩＰアドレス欄
１２４ｆ  ローカルアドレス欄
１３０  第１の通信回線
１３１  第２の通信回線
２３０  液晶ドライバ
２３１  液晶パネル
２４０  無線ＬＡＮモジュール
２４１、２５４  アンテナ
２５０  移動体通信モジュール
２５１  音声インタフェース
２５２  マイクロフォン
２５３  スピーカ
２６０  入力インタフェース
２６１  タッチパネル
２７０  内部ストレージ
２７１  内部ストレージインタフェース
２８０、３５０、７５０  ＵＳＢコントローラ
２８１、３５１、７５１  ＵＳＢコネクタ
３３０、７３０  ＨＤＤ
３３１、７３１  ＨＤＤインタフェース
【図１】
2014178972.tif 000003
【図２】
2014178972.tif 000004
【図３】
2014178972.tif 000005
【図４】
2014178972.tif 000006
【図５】
2014178972.tif 000007
【図６】
2014178972.tif 000008
【図７】
2014178972.tif 000009
【図８】
2014178972.tif 000010
【図９】
2014178972.tif 000011
【図１０】
2014178972.tif 000012
【図１１】
2014178972.tif 000013
【図１２】
2014178972.tif 000014
【図１３】
2014178972.tif 000015
【図１４】
2014178972.tif 000016
【図１５】
2014178972.tif 000017
【図１６】
2014178972.tif 000018
【図１７】
2014178972.tif 000019
【図１８】
2014178972.tif 000020
【図１９】
2014178972.tif 000021
【図２０】
2014178972.tif 000022
【図２１】
2014178972.tif 000023
【図２２】
2014178972.tif 000024
【図２３】
2014178972.tif 000025
【図２４】
2014178972.tif 000026
【図２５】
2014178972.tif 000027
【図２６】
2014178972.tif 000028
【図２７】
2014178972.tif 000029
【図２８】
2014178972.tif 000030
【図２９】
2014178972.tif 000031
【図３０】
2014178972.tif 000032
【図３１】
2014178972.tif 000033